(57)【要約】【課題】都市空間のヒートアイランド現象を効果的に抑制し、且つ、メンテナンス性に優れた新規な緑化樹木ユニット、及び、緑化システムを提案する。【解決手段】植物５が生育される緑化パネル３・４にて囲まれた空間８が形成される緑化樹木ユニット１であって、噴霧ノズル２３から空間８内に放出される霧２４によって、空間８内の空気を冷却する構成とする緑化樹木ユニット１とするものである。また、緑化樹木ユニット１を構成する緑化パネル３・４は、緑化パネル３・４が固定される固定部材（立体枠２、若しくは、設置基礎１０）に対して着脱自在に構成される、こととするものである。【選択図】図１
0003153657.tif 000002
【実用新案登録請求の範囲】
【請求項１】
植物が繁茂される緑化パネルにて囲まれた空間が形成される緑化樹木ユニットであって、
噴霧ノズルから前記空間内に放出される霧によって、前記空間内の空気を冷却する構成とする緑化樹木ユニット。
【請求項２】
前記緑化樹木ユニットを構成する前記緑化パネルは、
緑化パネルが固定される固定部材に対して着脱自在に構成される、
ことを特徴とする、請求項１に記載の緑化樹木ユニット。
【請求項３】
前記空間内への霧の放出は、前記空間の内部の気温の高低、若しくは、外部の気温の高低に応じて実施する構成とする、
ことを特徴とする、請求項１又は請求項２に記載の緑化樹木ユニット。
【請求項４】
前記空間内への霧の放出は、前記空間の内部を流れる空気の風速の強弱、若しくは、外部を流れる空気の風速の強弱に応じて実施する構成とするものであり、
風速が０ｍ／ｓ以上５．５ｍ／ｓ未満、０ｍ／ｓ以上１．６ｍ／ｓ、又は、０ｍ／ｓ以上０．３未満であるときに、前記霧の放出が行われる構成とする、
ことを特徴とする、請求項１乃至請求項３のいずれか一項に記載の緑化樹木ユニット。
【請求項５】
前記緑化樹木ユニットの内部、及び／又は、外部について、照光装置による光の照射が行われる構成とする、
ことを特徴とする、請求項１乃至請求項４のいずれか一項に記載の緑化樹木ユニット。
【請求項６】
請求項１乃至請求項５のいずれか一項に記載の緑化樹木ユニットを複数設置し、
前記各緑化樹木ユニットにより空気の冷却が行われる緑化システム。
【考案の詳細な説明】
【技術分野】
【０００１】
本考案は、植物の設置によりヒートアイランド現象への対策を図る緑化システムに関するものである。
【背景技術】
【０００２】
都市のヒートアイランド現象は著しくなり、年々その厳しさを増している。このヒートアイランド現象への対策として、屋上緑化によるものが知られており、この屋上緑化に関して開示する文献も存在する（例えば、特許文献１、２参照。）。
【０００３】
特許文献１では、容器内に形成した植栽ベッドに永年緑化植物（つる植物）の根を定植し、植栽ベッドの上方に設けられた栽培棚に葉部やつる部を絡ませて栽培する構成が開示されている。また、植栽ベッド内に散水パイプが埋設され、この散水パイプから培地に水などが供給される構成としている。
【０００４】
また、特許文献２では、骨組材からなる格子状の支持部材に植物を繁殖させる構成が開示されている。そして、骨組材の内部に根部保持材を収容した管体を設置し、根部保持材に植物の種子を播種して植物を繁茂させることで、支持部材の略全面を植物で覆うこととして屋上を緑化するものとしている。
【０００５】
上述の特許文献１、２に開示されるような技術では、屋上が緑化されることによる屋上表面が遮光され、屋上表面（コンクリート面）の温度上昇の抑制が図られる。これにより、屋上緑化されたビルなどの建築物について、つまり、その建築物についてだけ、冷房用電力消費削減といった効果が見込まれる。
【先行技術文献】
【特許文献】
【０００６】
【特許文献１】特開平６−１９７６４９号公報
【特許文献２】特開２００６−２０５４２号公報
【考案の概要】
【考案が解決しようとする課題】
【０００７】
しかし、地球規模の温暖化が加速する環境において、都市全体のヒートアイランド現象に鑑みると、従来のような、各建築物において個別に屋上緑化を行うだけでは、対策としては不十分であり、温暖化のスピードに対処できないものである。
【０００８】
また、緑化による冷房用電力消費削減によれば、温室効果ガスの排出量削減を図ることが可能となるものであるが、京都議定書の取組状況をみてもわかるように、温室効果ガスの更なる排出量削減が求められる状況にあり、都市全体といった広範囲での展開を視野に入れた緑化を図る必要がある。
【０００９】
このような状況も踏まえつつ、従来の緑化技術について着目してみると、従来は単に屋上を緑化し、植物によって屋上表面を覆うという単純な思想に基づくものであり、その直接的な効果としては、屋上緑化を施した建築物についてのみ、冷房用電力消費削減が図られるというものに過ぎない。
【００１０】
ところが、特に、都市の屋上においては、他のビルとの関係でビル風が吹きやすい環境にあり、また、都市に近い海からの空気が直接的に流れやすい環境にあることに着目すると、ビルの緑化された屋上を空気が通過した際には、この空気が冷却されるという効果が得られるものと考えられる。即ち、屋上緑化によって、都市を流れる空気を冷却する、若しくは、温度上昇を抑えることにより、この空気による冷却効果が得られるという考えである。
【００１１】
しかし、特許文献１、特許文献２のような従来の緑化の形態では、単純に、屋上を植物で遮蔽するという思想であるため、都市を流れる空気を冷却するという思想もなく、空気を冷却させる点では、十分な効果が期待できないものである。
【００１２】
また、都市の広範囲での緑化の展開を考えた場合には、既設の建築物への設置の容易性、建物補修の容易性、建替時の撤去（回収及びリサイクル）の容易性を考慮する必要がある。
【００１３】
また、緑化設備の設置後において植物を成長させるという思想では、その育成時期を要することになり、緑化による効果が出るまで長期間を要してしまうことになる。このようなことでは、加速する地球温暖化に対応できないものとなってしまう。
【００１４】
また、植物が枯れてしまった場合や、逆に、繁殖しすぎてしまった場合などでは、撤去（回収）や剪定といったメンテナンスが必要となるが、このメンテナンス性についても、考慮する必要がある。
【００１５】
そこで、本発明は以上の問題点に鑑み、都市空間のヒートアイランド現象を効果的に抑制し、且つ、メンテナンス性に優れた新規な緑化樹木ユニット、及び、緑化システムを提案するものである。
【課題を解決するための手段】
【００１６】
本発明の解決しようとする課題は以上の如くであり、次にこの課題を解決するための手段を説明する。
【００１７】
即ち、請求項１に記載のごとく、
植物が生育される緑化パネルにて囲まれた空間が形成される緑化樹木ユニットであって、噴霧ノズルから前記空間内に放出される霧によって、前記空間内の空気を冷却する構成とする緑化樹木ユニットとするものである。
【００１８】
また、請求項２に記載のごとく、
前記緑化樹木ユニットを構成する前記緑化パネルは、緑化パネルが固定される固定部材に対して着脱自在に構成される、こととするものである。
【００１９】
また、請求項３に記載のごとく、
前記空間内への霧の放出は、前記空間の内部の気温の高低、若しくは、外部の気温の高低に応じて実施する構成とするものである。
【００２０】
また、請求項４に記載のごとく、
前記空間内への霧の放出は、前記空間の内部を流れる空気の風速の強弱、若しくは、外部を流れる空気の風速の強弱に応じて実施する構成とするものであり、
風速が０ｍ／ｓ以上５．５ｍ／ｓ未満、０ｍ／ｓ以上１．６ｍ／ｓ、又は、０ｍ／ｓ以上０．３未満であるときに、前記霧の放出が行われる構成とするものである。
【００２１】
また、請求項５に記載のごとく、
前記緑化樹木ユニットの内部、及び／又は、外部について、照光装置による光の照射が行われる構成とするものである。
【００２２】
また、請求項６に記載のごとく、
請求項１乃至請求項５のいずれか一項に記載の緑化樹木ユニットを複数設置し、前記各緑化樹木ユニットにより空気の冷却が行われる緑化システムとするものである。
【考案の効果】
【００２３】
本考案の効果として、以下に示すような効果を奏する。
【００２４】
即ち、請求項１に記載の考案においては、
この緑化樹木ユニットにより、都市空間を流れる空気の冷却が効率よく行われるため、都市空間の広範囲において冷却された空気を送風することが可能となって、都市空間全体としての温度低下を図ることが可能となる。また、単に空気の冷却だけではなく、緑化（屋上であれば、屋上緑化）も行うことができるため、二つの機能を兼ね備えた緑化樹木ユニットを実現することができる。
【００２５】
また、請求項２に記載の考案においては、
工場や農地において植物を繁茂させた緑化パネルを搬入組み付ける構成とすることにより、施工後において直ちに屋上緑化、及び、冷却した空気の送風を実施することができ、早急な温暖化対策を図ることが可能となる。また、植物が枯れてしまった場合、植物の種類を変えるべく緑化パネルなどを変更する場合、さらには、緑化樹木ユニットを撤去（回収）する場合など、メンテナンスを容易に行うことができる。
【００２６】
また、請求項３に記載の考案においては、
例えば、秋や冬などの気温が低い場合では、ヒートアイランド現象が生じない状況となるため、このような状況での霧の放出を停止することにより水（霧）の浪費を抑えることができ、また、夏の前後期間において昼夜の気温変化が激しい場合においては、気温が高くなって冷却が有効となる時間帯にのみ、水（霧）を効果的に消費することが可能となる。
【００２７】
また、請求項４に記載の考案においては、
例えば、風速が弱いとき（例えば、０ｍ／ｓ以上５．５ｍ／ｓ未満、好ましくは、０ｍ／ｓ以上１．６ｍ／ｓ未満、さらに好ましくは、０ｍ／ｓ以上０．３未満の風速であるとき）には、都市空間の広範囲において空気が移動せずに停滞することが想定され、ヒートアイランド現象が悪化することが考えられるため、風速が弱いときに霧による冷却を行うことにより、都市全体の気温を下げる効果が期待できることになる。また、地域的（緑化樹木ユニットが屋上に設置される建物のエリア）において温度が低下することにより、新たな空気の流れ（風（空気の対流））を発生させる効果も期待でき、ひいては、この空気の流れによる都市全体の気温低下の促進が期待できる。
【００２８】
また、請求項５に記載の考案においては、
夜間において、緑化樹木ユニットのイルミネーションを実施することが可能となる。特に、霧が放出されることにより、夜間において幻想的なイルミネーションを実現することができる。
【００２９】
また、請求項６に記載の考案においては、
緑化システムが設置される各箇所（ビルや広場）において緑化と空気の冷却が可能となるとともに、この緑化システムを都市空間の広範囲に展開することによって、都市空間全体としての温度低下を図ることが可能となる。
【図面の簡単な説明】
【００３０】
【図１】本考案の一実施形態に係る緑化樹木ユニットの構成について示す図。
【図２】緑化樹木ユニットを構成する各パーツについて示す図。
【図３】緑化樹木ユニットと緑化パネルの設置基礎への設置について説明する図。
【図４】本考案の一実施形態に係る緑化樹木ユニットをビルに設置した例について示す図。
【図５】本考案の一実施形態に係る緑化樹木ユニットをビルに設置した例について示す図。
【図６】照光装置によるイルミネーションについて説明する図。
【図７】ドーム形状の緑化樹木ユニットの例について示す図。
【考案を実施するための形態】
【００３１】
次に、考案の実施の形態を説明する。
図１は、本考案の一実施形態にかかる緑化樹木ユニット１の構成について示すものである。
この緑化樹木ユニット１は、図２に示すごとく、立方体形状の立体枠２と、この立体枠２の四つの側部をそれぞれ覆うように立体枠２に取り付けられる緑化パネル３・３と、立体枠２の上部を覆うように立体枠２に取り付けられる緑化パネル４と、を有して構成される。
【００３２】
また、図２に示すごとく、立体枠２は、鋼材を加工して組立てることで立方体枠形状に構成されるものである。
【００３３】
また、図２に示すごとく、立体枠２の側部を覆う各緑化パネル３は、鋼材を加工して組立てることで四方枠を形成し、この四方枠内に長期耐候性を有する熱処理木材などで形成される格子が配置される構成とするものである。また、この格子に植物５が絡ませられるように繁殖され、この植物５によって格子が覆われることになり、いわゆる、植物５による壁面が形成されるようになっている。また、緑化パネル３の下部には、培地物質が入れられたプラントボックス６が設けられ、この培地物質に植物５が植えつけられるようになっている。
【００３４】
また、図２に示すごとく、植物５については、例えば、ヘデラなどの常緑のつる性植物とすることが好ましい。このようにつる性植物とすることで、緑化パネル３が植物５によって完全に覆われることがなく、植物５の隙間を空気が通過できるようになる。また、つる性植物とすることで、植物５の成長による重量の増加が小さいものとなり、緑化樹木ユニット１の重量増加による屋上床面１１の負荷の増加が抑えられるようになる。また、緑化パネル３の格子が熱処理木材で形成されることで、植物の絡みつきが良好なものとなる。また、この緑化樹木ユニット１は、いわゆる樹木の代替として機能するものであり、従来行われていた樹木の移設による植樹と比較すると、その移設費用が大きくかかることや、樹木の原生地の荒廃といった問題を低減することができるものとなる。
【００３５】
また、図２に示すごとく、立体枠２の上部を覆う緑化パネル４は、側部の緑化パネル３と同様、鋼材を加工して組立てることで四方枠を形成し、この四方枠内に熱処理木材などでなる格子が形成される構成とするものである。また、この格子に植物５が絡ませられるように繁殖され、この植物５によって格子が覆われることになり、いわゆる、植物５による壁面が構成されるようになっている。また、緑化パネル４の下面側には、培地物質が入れられたプラントボックス７が設けられ、この培地物質に植物５が植えつけられるようになっている。
【００３６】
そして、図１に示すごとく、立体枠２に緑化パネル３・４を組み付けることで、緑化パネル３・４によって囲まれた空間８が形成されるようになっている。そして、この立体枠２に緑化パネル３・４を組み付けたものを緑化樹木ユニット１とし、この緑化樹木ユニット１が設置基礎１０に載置されるようになっている。なお、緑化樹木ユニット１において下面を構成する部位には、緑化パネルが取り付けられずに、緑化樹木ユニット１の空間８の下方が開放されるようになっている。
【００３７】
図２及び図３に示すごとく、設置基礎１０は、屋上床面１１に床束材１２・１２を設置し、この床束材１２・１２に大引材１３・１３が架設されて構成されるものであり、この大引材１３・１３の上に、立体枠２が載置固定されるようになっている。なお、設置基礎１０については、この構成の他、例えば、床束材１２・１２を長くして柱とし、屋上床面１１から略１ｍ〜略３ｍ（これよりも高くてもよい）の高さの位置に大引材１３・１３を梁として設置することで、緑化樹木ユニット１の下方において人が通行できる空間が形成されることとしてもよい。
【００３８】
また、図３に示すごとく、設置基礎１０には、緑化樹木ユニット１・１が間隔を開けて載置固定され、緑化樹木ユニット１・１の間において、緑化樹木ユニット１が載置されない箇所においては、緑化パネル４が載置されるようになっている。これにより、屋上床面１１の広い範囲が、緑化樹木ユニット１、若しくは、緑化パネル４によって被覆されるようになっている。また、緑化樹木ユニット１・１を間隔を開けて設置することで、各緑化樹木ユニット１・１の間に空気の通り道を確保することができ、各緑化樹木ユニット１・１に対して空気が当たる面積（表面積）を広く確保することができる。また、この他、緑化樹木ユニット１・１を連設して設けることにより、屋上床面１１の全てが緑化樹木ユニット１・１で覆われる構成としてもよい。
【００３９】
また、図３に示すごとく、緑化樹木ユニット１や緑化パネル４は、図示せぬボルトなどの固定具によって、設置基礎１０に連結固定されるものであり、この固定具による連結固定を解除することによれば、再び、緑化樹木ユニット１や緑化パネル４を設置基礎１０から取外し、他の緑化樹木ユニット１や緑化パネル４と交換ができるようになっている。これにより、植物５が枯れてしまった場合、植物５の種類を変えるべく緑化パネル３などを変更する場合、さらには、緑化樹木ユニット１を撤去（回収）する場合など、メンテナンスを容易に行うことができるようになっている。また、緑化パネル３・４を緑化樹木ユニット１に設置する代わりに、広告板を設置することや、緑化パネル３・４の面積の一部に広告板を設置することで、広告を行うこととしてもよい。また、植物の色彩を利用して、緑化樹木ユニット１や緑化パネル４の配置によって特定のパターンを形成することも可能である。
【００４０】
また、図１及び図２に示すごとく、設置基礎１０の床束材１２・１２の間を通過するように、給水管２１が配管されている。また、この給水管２１から上方に向けて、散水管２２が分岐され、この散水管２２の上端部に、噴霧ノズル２３が配置されるようになっている。そして、図１に示すごとく、この噴霧ノズル２３から、霧２４（水の粒子を細かくして霧としたもの）が発生されるようになっている。また、霧２４については、噴霧ノズル２３のノズル径の設定により、空間８内の広範囲において霧状（ミスト状）に噴霧されるようになっている。なお、本実施形態の他、緑化パネル３・４に給水管２１と通じる配水管、及び、散水ノズルを設け、この散水ノズルから霧を噴霧させる構成としてもよい。また、空間８内に放出される霧の状態は、蒸発のし易い霧２４（平均粒子径約１０μｍ）とするほか、霧２４よりも粒の大きい水滴状のもの（例えば、平均粒子径０．１ｍｍ〜１ｍｍ程度）としてもよい。
【００４１】
そして、図１に示すごとく、空間８に霧が漂うことになり、この霧が蒸発（気化）することで熱が吸収され（気化熱の吸収）、空間８内の温度を低下させることができ、空間８内に存在する空気の冷却が行われる。そして、このような冷却された空間８を形成した緑化樹木ユニット１に吹き込まれる空気３０Ａは、空間８において冷却された後に空気３０Ｂとして送出されることになる。
【００４２】
このようにして、図１に示すごとく、緑化樹木ユニット１にて空気３０Ａが冷却されることで、屋上を通過する空気を全体として冷却することが可能となる。また、緑化パネル３・４によって囲まれた空間８を形成することで、空間８内を霧２４で満たすことができ、空間８内を確実に冷却することができることになる。そして、これにより、緑化樹木ユニット１に吹き込む空気３０Ａを確実に冷却することが可能となり、各緑化樹木ユニット１の冷却効率を優れたものとすることができる。また、以上の緑化樹木ユニット１においては、吹き込んだ空気について熱交換を行うラジエータの作用が発揮されるものであり、このラジエータの作用が効率よく行われるようになっているのである。
【００４３】
また、図１に示す霧２４の噴霧は、気温の高低に応じて実施する構成としてもよい。即ち、例えば、緑化樹木ユニット１の外部、若しくは、内部に温度センサ（不図示）を設置するとともに、給水管２１、若しくは、散水管２２といった配管系に電動バルブを設置し、この電動バルブを温度センサによる外気温の測定値に応じて開閉させるものである。或いは、給水管２１に水を供給するポンプ装置を温度センサによる外気温の測定値に応じて駆動／停止させることとするものである。これによれば、例えば、気温が２８℃以上であるときには、霧２４の噴霧により空気３０Ａを積極的に冷却させる一方、気温が２８℃未満であるときには、霧２４の噴霧を行わず、水の使用を控える、といった自動制御を行うことができる。例えば、秋や冬などの気温が低い場合では、ヒートアイランド現象が生じない状況となるため、このような状況での霧２４の噴霧を停止することにより水（霧）の浪費を抑えることができ、また、夏の前後期間において昼夜の気温変化が激しい場合においては、気温が高くなって冷却が有効となる時間帯にのみ、水（霧）を効果的に消費することが可能となる。
【００４４】
また、図１に示す霧２４の噴霧は、緑化樹木ユニット１を流れる空気の風速の強弱に応じて実施する構成としてもよい。即ち、例えば、緑化樹木ユニット１の外部、若しくは、内部に風速センサ（不図示）を設置するとともに、給水管２１、若しくは、散水管２２といった配管系に電動バルブを設置し、この電動バルブを風速センサによる風速の測定値に応じて開閉させるものである。或いは、給水管２１に水を供給するポンプ装置を風速センサによる風速の測定値に応じて駆動／停止させることとするものである。これによれば、例えば、風速が５．５ｍ／ｓ未満であるときには、霧２４の噴霧により空気３０Ａを積極的に冷却させる一方、風速が５．５ｍ／ｓ以上であるときには、霧２４の噴霧を行わず、水の使用を控える、といった自動制御を行うことができる。なお、この自動制御においては、周知の風速センサと、この風速センサの検出値に応じて電動バルブの開閉（若しくはポンプの駆動／停止）をさせる信号を出力する制御装置といった周知の構成にて実現することができる。また、風速センサや制御装置については、緑化パネル３・４や設置基礎１０に設置することができる。
【００４５】
そして、特に風速が弱いとき（例えば、０ｍ／ｓ以上５．５ｍ／ｓ未満、好ましくは、０ｍ／ｓ以上１．６ｍ／ｓ未満、さらに好ましくは、０ｍ／ｓ以上０．３未満の風速であるとき）には、都市空間の広範囲において空気が移動せずに停滞することが想定され、ヒートアイランド現象が悪化することが考えられるため、風速が弱いときに霧による冷却を行うことにより、都市全体の気温を下げる効果が期待できることになる。また、地域的（緑化樹木ユニットが屋上に設置される建物のエリア）において温度が低下することにより、新たな空気の流れ（風（空気の対流））を発生させる効果も期待でき、ひいては、この空気の流れによる都市全体の気温低下の促進が期待できる。
【００４６】
なお、風速の基準については気象庁風力階級表（必要であれば参照：ｈｔｔｐ：／／ｗｗｗ．ｊｍａ．ｇｏ．ｊｐ／ｊｍａ／ｋｉｓｈｏｕ／ｋｎｏｗ／ｙｏｕｇｏ＿ｈｐ／ｋａｚｅ．ｈｔｍｌ＃Ｅ１０）における風力０〜３を想定して設定されることが好ましく、風力（風速）が０に近いほど、本願考案によるヒートアイランド現象に対する効果がより顕著に発揮されるものである。また、霧２４を生成するための水は、水道水であってもよいが、水道コストの観点から、雨水や中水を利用することが好ましいと考えられる。
【００４７】
さらに、図１に示す霧２４の噴霧を、気温の高低と、緑化樹木ユニット１を流れる空気の風速の両方に応じて実施することとしてもよい。即ち、温度センサと風速センサの両方の測定値に基づいて、霧２４の噴霧の入り切りを制御するものである。
【００４８】
そして、図４及び図５に示すごとく、以上のように構成した緑化樹木ユニット１を複数設置して緑化システム４０・４０とし、ビル５０・５０の屋上に設置することで、各ビル５０・５０の屋上緑化が行われるとともに、各緑化樹木ユニット１・１によって、ビル５０・５０を通過する空気３０Ａを冷却し、冷却された空気３０Ｂを送風することが可能となる。
【００４９】
また、図２に示すごとく、緑化樹木ユニット１や設置基礎１０は、各パーツを組立てて構成できるものであることから、現場施工が容易であり、既設のビルの屋上についての施工も行いやすいものである。このような良好な施工性により、新設ビルの屋上への施工や、既設のビルの屋上への施工の展開が図り易いものとなり、都市空間での広範囲な屋上緑化の実現が可能となるものである。そして、本考案にかかる緑化樹木ユニット１（緑化システム４０）によれば、図１、４、５に示すごとく、空気３０Ａの冷却が効率よく行われるため、都市空間の広範囲において冷却された空気３０Ｂを送風することが可能となって、都市空間全体としての温度低下を図ることが可能となる。
【００５０】
また、図４及び図５に示すごとく、都市空間での広い範囲において展開が可能となるため、緑化樹木ユニット１を構成するパーツの大量生産、流通を促進することができ、コスト削減を図ることができる。また、図２に示すごとく、緑化樹木ユニット１を組立て式とすることで、施工においては、工場や農地において植物５を繁茂させた緑化パネル３・４を搬入・組み付ける構成とすることにより、施工後において直ちに屋上緑化、及び、冷却した空気の送風を実施することができ、早急な温暖化対策を図ることが可能となる。
【００５１】
また、図６に示すごとく、緑化樹木ユニット１の内部の空間８内に、夜間に光３４（例えば、低電圧のＬＥＤを利用した光）を照射するための照光装置３５・３５を配置することで、空間８内、及び、緑化樹木ユニット１の周囲を光３４で照らすこととしてもよい。これによれば、夜間における緑化樹木ユニット１のイルミネーションを行うことができる。また、このイルミネーションにおいては、植物５の隙間から光３４が漏れることになるため、緑化樹木ユニット１から漏れる光３４を適度に遮断されることになり、やわらかな印象を与えることができる。また、同時に、霧２４（図１参照）を噴霧することによれば、この霧２４（図１参照）によって、光３４が拡散されることになり、幻想的なイルミネーションを実現することができる。また、照光装置３５・３５は、空間８内に設けるほか、緑化樹木ユニット１の外部に設けることとしてもよい。例えば、緑化パネル４に上方に向かうステーを突設し、このステーの上部から下方に向けて光を照射する構成などである。
【００５２】
また、図６に示す照光装置３５・３５は、図２に示す立体枠２、緑化パネル３、４、設置基礎１０、給水管２１、散水管２２などのいずれかに設置することができる。また、この照光装置３５・３５の電源としては、一次電池、商用電源、など一般の電源を用いることとするほか、太陽光発電と蓄電池の組み合わせにて日射を利用する形態とすることもできる。特に、屋上に緑化樹木ユニット１が設置される場合には、採光がし易い環境に緑化樹木ユニット１が設置されるため、緑化パネル３・４の上部に発電用太陽光パネルを設けることなどにより、効率よく発電を行うことが可能となる。また、照度センサによって、夜間にのみ自動点灯する構成としてもよい。また、光源としては、白熱灯のほか、低電圧のＬＥＤなど、様々なものを利用することができる。また、緑化パネル４（緑化パネル３でもよい）の外側に照光装置３６・３６を設け、この照光装置３６・３６によるイルミネーションを行ってもよい。
【００５３】
以上のようにして、本考案を実施することが可能となる。
即ち、図１及び図２に示すごとく、植物５が生育される緑化パネル３・４にて囲まれた空間８が形成される緑化樹木ユニット１であって、噴霧ノズル２３から空間８内に放出される霧２４によって、空間８内の空気を冷却する構成とする緑化樹木ユニット１とするものである。
【００５４】
この緑化樹木ユニット１により、都市空間を流れる空気３０Ａの冷却が効率よく行われるため、都市空間の広範囲において冷却された空気３０Ｂを送風することが可能となって、都市空間全体としての温度低下を図ることが可能となる。また、単に空気３０Ａの冷却だけではなく、緑化（屋上であれば、屋上緑化）も行うことができるため、二つの機能を兼ね備えた緑化樹木ユニット１を実現することができる。
【００５５】
また、図１及び図２に示すごとく、緑化樹木ユニット１を構成する緑化パネル３・４は、緑化パネル３・４が固定される固定部材（立体枠２、若しくは、設置基礎１０）に対して着脱自在に構成される、こととするものである。
【００５６】
これにより、工場や農地において植物５を繁茂させた緑化パネル３・４を搬入・組み付ける構成とすることにより、施工後において直ちに屋上緑化、及び、冷却した空気の送風を実施することができ、早急な温暖化対策を図ることが可能となる。また、植物５が枯れてしまった場合、植物５の種類を変えるべく緑化パネル３などを変更する場合、さらには、緑化樹木ユニット１を撤去（回収）する場合など、メンテナンスを容易に行うことができる。
【００５７】
また、図１に示すごとく、空間８内への霧２４の放出は、空間８の内部の気温の高低、若しくは、外部の気温の高低に応じて実施する構成としてもよい。
【００５８】
これにより、例えば、秋や冬などの気温が低い場合では、ヒートアイランド現象が生じない状況となるため、このような状況での霧２４の噴霧を停止することにより水（霧）の浪費を抑えることができ、また、夏の前後期間において昼夜の気温変化が激しい場合においては、気温が高くなって冷却が有効となる時間帯にのみ、水（霧）を効果的に消費することが可能となる。
【００５９】
また、図１に示すごとく、空間８内への霧２４の放出は、空間８の内部を流れる空気３０Ａの風速の強弱、若しくは、外部を流れる空気３０Ａの風速の強弱に応じて実施する構成としてもよい。
【００６０】
これにより、特に、風速が弱いとき（例えば、０ｍ／ｓ以上５．５ｍ／ｓ未満、好ましくは、０ｍ／ｓ以上１．６ｍ／ｓ未満、さらに好ましくは、０ｍ／ｓ以上０．３未満の風速であるとき）には、都市空間の広範囲において空気が移動せずに停滞することが想定され、ヒートアイランド現象が悪化することが考えられるため、風速が弱いときに霧による冷却を行うことにより、都市全体の気温を下げる効果が期待できることになる。また、地域的（緑化樹木ユニットが屋上に設置される建物のエリア）において温度が低下することにより、新たな空気の流れ（風（空気の対流））を発生させる効果も期待でき、ひいては、この空気の流れによる都市全体の気温低下の促進が期待できる。
【００６１】
また、図６に示すごとく、緑化樹木ユニット１の内部、及び／又は、外部について、照光装置３５・３５による光の照射が行われる構成としてもよい。
【００６２】
これにより、夜間において、緑化樹木ユニット１のイルミネーションを実施することが可能となる。特に、霧が放出されることにより、夜間において幻想的なイルミネーションを実現することができる。
【００６３】
また、図３乃至図５に示すごとく、複数の緑化樹木ユニット１を設置し、各緑化樹木ユニット１により空気の冷却が行われる緑化システム４０・４０とするものである。
【００６４】
これにより、図４及び図５に示すごとく、緑化システム４０が設置される各箇所（ビル５０・５０）において緑化と空気の冷却が可能となるとともに、この緑化システム４０を都市空間の広範囲に展開することによって、都市空間全体としての温度低下を図ることが可能となる。
【００６５】
さらに、図１及び図２に示す構成例では、立方体形状の緑化樹木ユニット１としたが、この他、図７に示すごとく、アーチ状の断面を形成するドーム形状の緑化樹木ユニット７０としてもよい。この場合、複数の緑化パネル７１・７１を組立てることでドーム形状が構成されることとし、各緑化パネル７１・７１が着脱自在に構成されることが望ましい。
【産業上の利用可能性】
【００６６】
本考案の緑化樹木ユニットは、屋上に設置して屋上緑化に利用する他、地上に並べて設置して、街路を構成するなど、設置箇所に限定されること無く、展開することができる。
【符号の説明】
【００６７】
１    緑化樹木ユニット
２    立体枠
３    緑化パネル
４    緑化パネル
５    植物
６    プラントボックス
７    プラントボックス
８    空間
１０    設置基礎
１１    屋上床面
２３    噴霧ノズル
２４    霧
３０Ａ    空気
３０Ｂ    空気
３４    光
３５    照光装置
４０    緑化システム
【図１】
0003153657.tif 000003
【図２】
0003153657.tif 000004
【図３】
0003153657.tif 000005
【図４】
0003153657.tif 000006
【図５】
0003153657.tif 000007
【図６】
0003153657.tif 000008
【図７】
0003153657.tif 000009
【手続補正書】
【提出日】平成21年4月6日(2009.4.6)
【手続補正１】
【補正対象書類名】実用新案登録請求の範囲
【補正対象項目名】請求項４
【補正方法】変更
【補正の内容】
【請求項４】
前記空間内への霧の放出は、前記空間の内部を流れる空気の風速の強弱、若しくは、外部を流れる空気の風速の強弱に応じて実施する構成とするものであり、
風速が０ｍ／ｓ以上５．５ｍ／ｓ未満、０ｍ／ｓ以上１．６ｍ／ｓ未満、又は、０ｍ／ｓ以上０．３未満であるときに、前記霧の放出が行われる構成とする、
ことを特徴とする、請求項１乃至請求項３のいずれか一項に記載の緑化樹木ユニット。
【手続補正２】
【補正対象書類名】明細書
【補正対象項目名】００２０
【補正方法】変更
【補正の内容】
【００２０】
また、請求項４に記載のごとく、
前記空間内への霧の放出は、前記空間の内部を流れる空気の風速の強弱、若しくは、外部を流れる空気の風速の強弱に応じて実施する構成とするものであり、
風速が０ｍ／ｓ以上５．５ｍ／ｓ未満、０ｍ／ｓ以上１．６ｍ／ｓ未満、又は、０ｍ／ｓ以上０．３未満であるときに、前記霧の放出が行われる構成とするものである。
【手続補正書】
【提出日】平成21年7月11日(2009.7.11)
【手続補正１】
【補正対象書類名】実用新案登録請求の範囲
【補正対象項目名】請求項１
【補正方法】変更
【補正の内容】
【請求項１】
植物が繁茂される複数の緑化パネルと、
前記複数の緑化パネル囲まれた空間内に霧を放出するための噴霧ノズルと、
を有する、緑化樹木ユニット。
【手続補正２】
【補正対象書類名】実用新案登録請求の範囲
【補正対象項目名】請求項２
【補正方法】変更
【補正の内容】
【請求項２】
前記緑化樹木ユニットを構成する前記緑化パネルは、
固定具による連結固定を解除することで、
緑化パネルが固定される固定部材から取外される構成とする、
ことを特徴とする、請求項１に記載の緑化樹木ユニット。
【手続補正３】
【補正対象書類名】実用新案登録請求の範囲
【補正対象項目名】請求項３
【補正方法】変更
【補正の内容】
【請求項３】
前記空間の内部の気温、若しくは、外部の気温を検出するための温度センサと、
前記温度センサによる温度の測定値に応じて開閉制御されて、前記霧の放出の有無を切り替える電動バルブと、を有する、
ことを特徴とする、請求項１又は請求項２に記載の緑化樹木ユニット。
【手続補正４】
【補正対象書類名】実用新案登録請求の範囲
【補正対象項目名】請求項４
【補正方法】変更
【補正の内容】
【請求項４】
前記空間の内部を流れる空気の風速、若しくは、外部を流れる空気の風速を測定するための風速センサと、
前記風速センサによる風速の測定値に応じて開閉制御されて、前記霧の放出の有無を切り替える電動バルブと、を有する、
ことを特徴とする、請求項１乃至請求項３のいずれか一項に記載の緑化樹木ユニット。
【手続補正５】
【補正対象書類名】実用新案登録請求の範囲
【補正対象項目名】請求項５
【補正方法】変更
【補正の内容】
【請求項５】
前記緑化樹木ユニットの内部、及び／又は、外部について、光の照射を行うための照光装置を有する、
ことを特徴とする、請求項１乃至請求項４のいずれか一項に記載の緑化樹木ユニット。
【手続補正６】
【補正対象書類名】実用新案登録請求の範囲
【補正対象項目名】請求項６
【補正方法】変更
【補正の内容】
【請求項６】
請求項１乃至請求項５のいずれか一項に記載の緑化樹木ユニットを複数有する、緑化システム。
【手続補正７】
【補正対象書類名】明細書
【補正対象項目名】００１７
【補正方法】変更
【補正の内容】
【００１７】
即ち、請求項１に記載のごとく、
植物が繁茂される複数の緑化パネルと、
前記複数の緑化パネル囲まれた空間内に霧を放出するための噴霧ノズルと、
を有する、緑化樹木ユニットとするものである。
【手続補正８】
【補正対象書類名】明細書
【補正対象項目名】００１８
【補正方法】変更
【補正の内容】
【００１８】
また、請求項２に記載のごとく、
前記緑化樹木ユニットを構成する前記緑化パネルは、
固定具による連結固定を解除することで、
緑化パネルが固定される固定部材から取外される構成とするものである。
【手続補正９】
【補正対象書類名】明細書
【補正対象項目名】００１９
【補正方法】変更
【補正の内容】
【００１９】
また、請求項３に記載のごとく、
前記空間の内部の気温、若しくは、外部の気温を検出するための温度センサと、
前記温度センサによる温度の測定値に応じて開閉制御されて、前記霧の放出の有無を切り替える電動バルブと、を有することとするものである。
【手続補正１０】
【補正対象書類名】明細書
【補正対象項目名】００２０
【補正方法】変更
【補正の内容】
【００２０】
また、請求項４に記載のごとく、
前記空間の内部を流れる空気の風速、若しくは、外部を流れる空気の風速を測定するための風速センサと、
前記風速センサによる風速の測定値に応じて開閉制御されて、前記霧の放出の有無を切り替える電動バルブと、を有することとするものである。
【手続補正１１】
【補正対象書類名】明細書
【補正対象項目名】００２１
【補正方法】変更
【補正の内容】
【００２１】
また、請求項５に記載のごとく、
前記緑化樹木ユニットの内部、及び／又は、外部について、光の照射を行うための照光装置を有することとするものである。
【手続補正１２】
【補正対象書類名】明細書
【補正対象項目名】００２２
【補正方法】変更
【補正の内容】
【００２２】
また、請求項６に記載のごとく、
請求項１乃至請求項５のいずれか一項に記載の緑化樹木ユニットを複数有する、緑化システムとするものである。